(57)【要約】【課題】近傍スプリアスを十分に抑制しながら信号品質の劣化を抑制する。【解決手段】無線機１００は近傍スプリアス減衰フィルタ１４０を接続可能である。近傍スプリアス減衰フィルタ１４０は送信信号に含まれる近傍スプリアスを除去する。無線機１００は記憶部１１４と温度検出部１３０と補正処理部１１２とを備える。記憶部１１４はフィルタ特性を温度に対応させて記憶する。フィルタ特性は近傍スプリアス減衰フィルタ１４０の周波数に応じた位相遅延に関する。補正処理部１１２は記憶部１１４に記憶されたフィルタ特性に基づいて送信信号を補正する。【選択図】図１
2013085097.tif 000002
【特許請求の範囲】
【請求項１】
送信信号に含まれる近傍スプリアスを除去するフィルタを接続可能な無線通信装置であって、
前記フィルタの周波数に応じた位相遅延に関するフィルタ特性を、温度に対応させて記憶する記憶部と、
前記フィルタ近傍の実質的な温度を検出する温度検出部と、
前記温度検出部により検出された温度に対応する前記フィルタ特性に基づいて前記送信信号を補正する補正部とを備える
ことを特徴とする無線通信装置。
【請求項２】
請求項１に記載の無線通信装置であって、前記フィルタ特性は前記位相遅延の周波数に応じた逆補正値であることを特徴とする無線通信装置。
【発明の詳細な説明】
【技術分野】
【０００１】
本発明は、近傍スプリアスを抑制しながら通信品質を維持する無線通信装置に関するものである。
【背景技術】
【０００２】
無線通信装置では、送信信号に近傍スプリアスが混入することがある。混入する近傍スプリアスを、フィルタを用いて減衰させることが知られている（特許文献１参照）。
【先行技術文献】
【特許文献】
【０００３】
【特許文献１】特開２００９−１５９３８７号公報
【発明の概要】
【発明が解決しようとする課題】
【０００４】
近傍スプリアスを十分に減衰するためには、急峻な周波数特性を有するフィルタを用いる必要がある。減衰すべき近傍スプリアスの仕様は、国等の地域によって異なることが多い。それゆえ、無線通信装置の筐体外部に近傍スプリアス減衰用フィルタを設置することが一般的である。
【０００５】
しかし、急峻な周波数特性を有するバンドパスフィルタにおいては、通過帯域の端部における位相変化量が中心帯域に比べて非常に大きい。それゆえ、通過帯域端部においては通信品質の劣化が生じ得る。
【０００６】
それゆえ、通信で用いる全体の帯域の端部周辺が割当てられた場合には、位相変化が大きいため高い変調クラスの割当を行うことが出来なかった。それゆえ、端部周辺が割当てられたユーザは変調多値数の小さい変調方式が選択される低い変調クラスしか用いることが出来ないため、スループットが低下していた。
【０００７】
したがって、かかる事情に鑑みてなされた本発明の目的は、近傍スプリアスを十分に抑制しながら信号品質の劣化を抑制する無線通信装置を提供することにある。
【課題を解決するための手段】
【０００８】
上述した諸課題を解決すべく、本発明による無線通信装置は、
送信信号に含まれる近傍スプリアスを除去するフィルタを接続可能な無線通信装置であって、
フィルタの周波数に応じた位相遅延に関するフィルタ特性を、温度に対応させて記憶する記憶部と、
フィルタ近傍の実質的な温度を検出する温度検出部と、
温度検出部により検出された温度に対応するフィルタ特性に基づいて送信信号を補正する補正部とを備える
ことを特徴とするものである。
【発明の効果】
【０００９】
上記のように構成された本発明に係る無線通信装置によれば、フィルタ特性に応じて送信信号を補正するので、フィルタによる位相変化をキャンセルさせることが可能である。フィルタによる位相変化がキャンセルされるので、フィルタを用いて近傍スプリアスを十分に抑制しながら信号品質の劣化を抑制することが可能である。
【図面の簡単な説明】
【００１０】
【図１】本発明の一実施形態に係る無線通信装置の内部構成を概略的に示すブロック図である。
【図２】近傍スプリアス減衰フィルタの周波数に対する位相遅延特性を温度別に示すグラフである。
【図３】近傍スプリアス減衰フィルタによる位相遅延を相殺させる周波数に対する補正量の特性を温度別に示すグラフである。
【発明を実施するための形態】
【００１１】
以下、本発明を適用した無線通信装置の実施形態について、図面を参照して説明する。ここでは、本発明に係る無線通信装置が、基地局等の無線機に適用される場合を例に説明する。図１は、本発明の無線通信装置が適用される無線機の一実施形態に係る構成を示す図である。
【００１２】
無線機１００は、例えば、ＯＦＤＭ方式の基地局として用いられ、ＤＰＤ（Ｄｉｇｉｔａｌ  Ｐｒｅ−Ｄｉｓｔｏｒｔｉｏｎ）の機能を備えている。無線機１００は、大別してベースバンド部１１０、送信回路１２０、温度検出部１３０、および受信回路（図示せず）などによって構成される。
【００１３】
ベースバンド部１１０は、信号処理部及びＦＦＴ演算部１１１、補正処理部１１２（補正部）、制御部１１３、および記憶部１１４などによって構成される。
【００１４】
信号処理部及びＦＦＴ演算部１１１は、無線機１００から送信する送信信号を生成し、同相信号Ｉおよび直交位相信号Ｑとして出力する。補正処理部１１２、制御部１１３、および記憶部１１４の機能については後述する。
【００１５】
送信回路１２０は、ＤＡＣ（デジタルアナログ変換器）１２１、１２２、周波数発振器１２３（図示しないＰＬＬを含む）、直交変調器１２４、バンドパスフィルタ１２５、高出力電力増幅器１２６などによって構成される。
【００１６】
ＤＡＣ１２１は、同相信号Ｉをデジタルからアナログに変換する。ＤＡＣ１２２は、直交位相信号Ｑをデジタルからアナログに変換する。周波数発振器１２３は所定の周波数の搬送波信号を出力する。直交変調器１２４は、入力された同相信号Ｉおよび直交位相信号Ｑを直交変調して所定の搬送周波数の送信信号に変換する。バンドパスフィルタ１２５は、所望帯域の送信信号を通過させる。高出力電力増幅器１２６は、送信信号の電力をアンテナ１５０からの出力に必要な電力に増幅する。
【００１７】
高出力電力増幅器１２６から出力される送信信号はＤｕｐ（デュプレクサ）１２７に送信される。送信信号はＤｕｐ１２７、近傍スプリアス減衰フィルタ１４０を介してアンテナＡＮＴに送信される。アンテナ１５０は、送信信号を空間へ放射する。また、アンテナ１５０は、受信信号を空間から受信する。なお、Ｄｕｐ１２７は、は送信信号と受信信号を合成、分離する。
【００１８】
近傍スプリアス減衰フィルタ１４０は、無線リソースとして用いる帯域を通過させるバンドパスフィルタであり、送信信号に含まれる近傍スプリアスを減衰させる。なお、前述のように、無線機１００の設置地域に応じたフィルタを用いることが望ましいので、近傍スプリアス減衰フィルタ１４０は、無線機１００の筐体（図示せず）の外部において、Ｄｕｐ１２７とアンテナ１５０との間に設けられる。
【００１９】
温度検出部１３０は、温度センサ１６０の検出信号に基づいて、筐体外部の気温を検出する。なお、温度センサ１６０は近傍スプリアス減衰フィルタ１４０近傍の温度、即ち筐体の外部温度を検出可能であればよく、筐体の外部に設けられたり、またはＧＰＳアンテナ（図示せず）内の温度センサを兼用したり、さらには外部から受信する気象データに含まれる地域温度情報参照する構成であってもよい。
【００２０】
温度検出部１３０に検出された外気温はベースバンド部１１０に送信される。制御部１１３は、外気温に対応した近傍スプリアス減衰フィルタ１４０のフィルタ特性を記憶部１１４から読出す。フィルタ特性については、後に説明する。読出されたフィルタ特性に基づいて、補正処理部１１２は、信号処理部及びＦＦＴ演算部１１１が生成するデジタル信号の送信信号を補正する。
【００２１】
次に、フィルタ特性について説明する。近傍スプリアス減衰フィルタ１４０は、周波数に応じて通過する信号に位相遅延を生じさせる。フィルタ特性とは、図２に示すように、近傍スプリアス減衰フィルタ１４０の周波数に対する位相遅延量の関係を示している。なお、図２の横軸は、近傍スプリアス減衰フィルタ１４０の帯域内の周波数である。
【００２２】
それゆえ、送信信号に対して、近傍スプリアス減衰フィルタ１４０に入力する前に、図３に示すように、周波数に応じた位相特性を相殺させるよう補正することにより、近傍スプリアス減衰フィルタ１４０の通過後に位相が補償される。
【００２３】
なお、周波数に応じた位相遅延の関係は近傍スプリアス減衰フィルタ１４０の温度によって変わる。それゆえ、記憶部１１４には温度別にフィルタ特性が格納されており、上述のように、外気温に対応するフィルタ特性が読出される。
【００２４】
以上のような構成の本実施形態の無線通信装置によれば、近傍スプリアスを十分に抑制しながら、無線リソースの端部周辺における位相変化を低下させることが可能である。位相変化を低減化できるので、無線リソースの端部周辺が割当てられたユーザに対しても変調多値数の大きい変調方式が選択される高い変調クラスを用いることが出来、スループットの低下が防止される。
【００２５】
また、本実施形態の無線通信装置によれば、近傍スプリアス減衰フィルタ１４０周辺の温度に応じたフィルタ特性を用いて補正するので、筐体の外部において用いられることが想定される近傍スプリアス減衰フィルタ１４０の温度変化に対する位相変化をさらに適切に低減化することが可能である。
【００２６】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００２７】
例えば、上記実施形態では、近傍スプリアス減衰フィルタ１４０の周波数に応じた位相遅延（図２参照）がフィルタ特性として記憶部１１４に格納され、補正処理部１１２がフィルタ特性に基づいて算出される補正特性を用いて位相の逆補正を送信信号に施す構成であるが、近傍スプリアス減衰フィルタ１４０の位相遅延の周波数に応じた逆補正値（図３参照）をフィルタ特性として記憶部１１４に格納し、フィルタ特性を用いて位相の逆補正を送信信号に施す構成であってもよい。また、上記実施形態ではＯＦＤＭ方式の通信装置に用いられる構成であるが、ＯＦＤＭ方式以外の通信装置に適用することも可能である。
【符号の説明】
【００２８】
１００  無線機
１１１  新語処理部及びＦＦＴ演算部
１１２  補正処理部
１１３  制御部
１３０  温度検出部
１４０  近傍スプリアス減衰フィルタ
【図１】
2013085097.tif 000003
【図２】
2013085097.tif 000004
【図３】
2013085097.tif 000005